(57)【特許請求の範囲】
【請求項１】
第１のシート部と第２のシート部とが第１の折り部を介して連接し、前記第１及び第２のシート部の少なくとも一方の前記第１の折り部とは反対側に第２の折り部を介して第３のシート部が連接し、前記第１のシート部と前記第２のシート部とが前記第１の折り部を介して空間を有して折り畳まれ、前記第３のシート部が前記第２の折り部を介して折り畳まれ、前記第１のシート部に付与された情報を伝達する折り畳み型情報伝達体であって、
前記第１のシート部は、前記空間側に、シート状に構成され、音声情報を記録し、該音声情報を前記空間に向けて出力可能な音声情報伝達手段を有し、
前記第３のシート部が接地部となる折り畳み型情報伝達体。
【発明の詳細な説明】
【技術分野】
【０００１】
本発明は、結婚披露宴等で用いられる席札のように机上に載置可能に折り畳まれて構成され、情報の伝達が可能な折り畳み型情報伝達体に関する。
【背景技術】
【０００２】
従来より、結婚披露宴で用いられる席札は、その表面に出席者の氏名が記載されて構成されており、出席者が着席すべき座席の前に置かれることにより、出席者が着席すべき座席を示している。結婚披露宴への出席者は、自分の氏名が記載された席札が置かれた座席に行き、そこに着席することになる。
【０００３】
このように、結婚披露宴等で用いられる席札は、結婚披露宴等への出席者の着席位置を示すだけでその他の機能を有さないため、利用価値が低いものであった。
【０００４】
そこで、折り畳み可能に構成され、折り畳み状態の内面にメッセージを記載することが可能な席札が考えられている（例えば、特許文献１参照。）。この席札を用いれば、結婚披露宴等の主催者から出席者へのメッセージを伝達することができるようになる。
【特許文献１】特開平１１−１５７２６０号公報
【発明の開示】
【発明が解決しようとする課題】
【０００５】
しかしながら、上述したように折り畳み可能に構成され、折り畳み状態の内面にメッセージを記載することが可能な席札においては、折り畳み状態の内面にメッセージを記載することにより、結婚披露宴等の主催者から出席者へのメッセージを伝達することはできるが、視覚的にしかメッセージを伝達することができず、それにより、伝達可能な情報の種類が限定されてしまうという問題点がある。また、伝達可能な情報の量が席札の大きさによって限定されてしまうという問題点がある。
【０００６】
本発明は、上述したような従来の技術が有する問題点に鑑みてなされたものであって、大きさによって伝達可能な情報の量が限定されることがなく、かつ、視覚以外の手段によっても情報を伝達することができる折り畳み型情報伝達体を提供することを目的とする。
【課題を解決するための手段】
【０００７】
上記目的を達成するために本発明は、
第１のシート部と第２のシート部とが第１の折り部を介して連接し、前記第１及び第２のシート部の少なくとも一方の前記第１の折り部とは反対側に第２の折り部を介して第３のシート部が連接し、前記第１のシート部と前記第２のシート部とが前記第１の折り部を介して空間を有して折り畳まれ、前記第３のシート部が前記第２の折り部を介して折り畳まれ、前記第１のシート部に付与された情報を伝達する折り畳み型情報伝達体であって、
前記第１のシート部は、前記空間側に、シート状に構成され、音声情報を記録し、該音声情報を前記空間に向けて出力可能な音声情報伝達手段を有する。
【０００８】
上記のように構成された本発明においては、第１のシート部と第２のシート部とが第１の折り部を介して空間を有して折り畳まれ、第３のシート部が第２の折り部を介して折り畳まれて机上等に載置される。この状態で、第１のシート部に設けられた音声情報伝達手段に記録された音声情報は、第１のシート部と第２のシート部との間の空間に向けて出力されることになる。
【０００９】
また、第３のシート部を接地部とした場合は、第１のシート部と第２のシート部との間の空間に向けて出力された音声情報が、その空間から２箇所の開口部を介して外部に抜けていくことになる。
【００１０】
また、前記音声情報伝達手段は、前記空間とは反対側に、音声情報を出力する際に操作する第１の操作手段を有し、
前記第１のシート部は、前記第１の操作手段に対向する領域に、前記第１の操作手段を示す情報が付与されている構成とすることも考えられる。
【００１１】
このような構成とした場合は、第１のシート部には、第１の操作手段に対向する領域に、第１の操作手段を示す情報が付与されているため、この情報を用いて第１の操作手段を操作することになる。この第１の操作手段は、第１のシート部と第２のシート部との間の空間とは反対側に設けられているので、外部から操作しやすい。
【００１２】
また、前記音声情報伝達手段は、前記空間側に、音声情報を記録する際に操作する第２の操作手段を有し、前記第２の操作手段が設けられた領域に当該第２の操作手段を示す情報が付与されている構成とすることも考えられる。
【００１３】
このような構成とした場合は、音声情報伝達手段には、第２の操作手段が設けられた領域に、第２の操作手段を示す情報が付与されているため、この情報を用いて第２の操作手段を操作することになる。
【００１４】
また、前記音声情報伝達手段は、断裁されることにより、前記第２の操作手段が操作された場合であっても音声情報を記録されなくする記録禁止設定部を有する構成とすることも考えられる。
【００１５】
このような構成とした場合は、音声情報伝達手段に音声情報を記録した後に、音声情報伝達手段に設けられた記録禁止設定部を断裁すれば、その後、第２の操作手段が操作された場合であっても音声情報が記録されなくなる。
【００１６】
また、前記第１のシート部は、前記第２及び第３のシート部に対して切り離し可能に構成されている構成とすることも考えられる。
【００１７】
このような構成とした場合は、音声情報伝達手段に音声情報を新たに記録した後、第１のシート部を第２及び第３のシート部から切り離し、この音声情報伝達手段を有する第１のシート部を郵便等によって所望の送付先に送付することができる。
【発明の効果】
【００１８】
以上説明したように本発明においては、第１のシート部に、シート状に構成され、音声情報を記録、出力可能な音声情報伝達手段が設けられているので、その大きさによって伝達可能な情報の量が限定されることがなく、かつ、視覚以外の手段によっても情報を伝達することができる。
【００１９】
また、第３のシート部を接地部としたものにおいては、第１のシート部と第２のシート部との間の空間に向けて出力された音声情報が、その空間から２箇所の開口部を介して外部に抜けていくことになり、空間内で反響した音声情報を外部に伝わりやすくすることができる。
【発明を実施するための最良の形態】
【００２０】
以下に、本発明の実施の形態について図面を参照して説明する。
【００２１】
（第１の実施の形態）
図１は、本発明の折り畳み型情報伝達体の第１の実施の形態を示す図であり、（ａ）は外観斜視図、（ｂ）は折り畳み状態にて内側となる面を示す見開き図、（ｃ）は積層状態を示す図である。
【００２２】
本形態は図１に示すように、第１のシート部となる紙片１と第２のシート部となる紙片２とが第１の折り部５を介して連接し、紙片１，２の折り部５とは反対側には第２の折り部６，７を介して第３のシート部となる紙片３，４がそれぞれ連接し、紙片１〜４が折り部５〜７を介して折り畳まれて構成されている。紙片３，４は、互いに重なり合うように折り部６，７を介して折り畳まれる。そのため、紙片１，２が折り部５を介して折り畳まれると、紙片１と紙片２とは互いに重なり合わずにその間に空間が形成され、紙片１と紙片２とが折り部５を介して空間を有して折り畳まれることになる。互いに重なり合った紙片３，４は、机上等に載置される際の接地部となる。また、紙片１〜４は１枚の厚紙等からなり、折り部５〜７によって紙片１〜４が形成されている。
【００２３】
紙片１は、折り畳み状態の内側となる面、すなわち紙片２との間に形成された空間側に、シート状に構成され、音声情報を記録、出力可能な音声情報伝達部１００が貼付されている。この音声情報伝達部１００の紙片１への貼付方法は、例えば、音声情報伝達部１００の紙片１に対向する面に施された粘着加工を用いること等が考えられる。また、折り畳み状態における外側となる面には、氏名情報１ａが記載されているとともに、音声情報伝達部１００に記録された音声情報を出力する際に操作するための再生ボタン１ｂが設けられている。なお、氏名情報１ａは、例えば、この折り畳み型情報伝達体を結婚披露宴等の席札として使用する場合、結婚披露宴等への出席者の氏名であり、この折り畳み型情報伝達体が出席者の着席すべき座席の前に置かれることになる。その際、紙片３，４が接地部となるため、紙片１に記載された氏名情報１ａは容易に視認できる状態となる。また、再生ボタン１ｂにおいては、氏名情報１ａを印刷する場合は同時に印刷することや、紙片１に氏名情報１ａが印刷あるいは記入された後に、シールを貼付することによって設けることが考えられる。
【００２４】
以下に、図１に示した音声情報伝達部１００の構成について説明する。
【００２５】
図２は、図１に示した音声情報伝達部１００の内部構造を示す図である。また、図３は、図１に示した音声情報伝達部１００の積層状態を示す図である。
【００２６】
本形態における音声情報伝達部１００は図２及び図３に示すように、音声情報の記録及び出力が可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた２枚の支持シート２０ａ，２０ｂうち、一方の支持シート２０ｂの音声情報記録／再生部３０とは反対側の面に、その外形が支持シート２０ｂと同一形状であって、紙基材等の柔軟性を有し、かつ薄型の基材からなる表面シート１０が貼付されて構成されている。なお、表面シート１０、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。紙片１についても、同様にして支持シート２０ａに接着されている。
【００２７】
音声情報記録／再生部３０は、ピエゾ素子４１、振動板４２及びフィルムシート４３からシート状に構成されて音声情報を出力するための音声情報出力部４０と、外部から入力された音声情報が記録されるメモリ領域を具備する薄型のＩＣチップ３４やコンデンサ、抵抗等の回路素子が搭載されるとともに、外部からＩＣチップ３４に音声情報を記録するための接続端子３５を含む導電パターンが形成されて音声情報の記録及び出力が可能に構成された音声基板３２と、音声基板３２に形成された導電パターンの一部を導通させるための第１の操作手段となるスイッチ３３と、音声基板３２に接続され、音声基板３２に電源を供給するための柔軟性を有してなるペーパー電池３１とから構成されており、これにより、音声情報記録／再生部３０は、シート状に構成されている。音声基板３２においては、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ３４が接合されている。また、ＩＣチップ３４は、接続端子３５を介して入力された音声情報をメモリ領域に記録し、また、メモリ領域に記録された音声情報を音声情報出力部４０を介して出力する制御を行う。また、スイッチ３３は、ＩＣチップ３４のメモリ領域に記録された音声情報を音声情報出力部４０を介して出力する際に操作されるものであって、この音声情報伝達部１００が紙片１に取り付けられた場合に再生ボタン１ｂと対向する。すなわち、スイッチ３３は、紙片１と紙片２との間の空間とは反対側に設けられ、また、紙片１に記載された再生ボタン１ｂは、スイッチ３３を示す情報となる。
【００２８】
また、支持シート２０ａにおいては、音声情報記録／再生部３０と積層された場合に、ペーパー電池３１、スイッチ３３、ＩＣチップ３４及び音声情報出力部４０と対向する領域に穴２１ａ，２２，２３，２４ａがそれぞれ形成されており、また、支持シート２０ｂにおいては、音声情報記録／再生部３０と積層された場合に、ペーパー電池３１及び音声情報出力部４０と対向する領域に穴２１ｂ，２４ｂがそれぞれ形成されている。
【００２９】
このように、支持シート２０ａの、ペーパー電池３１、スイッチ３３、ＩＣチップ３４及び音声情報出力部４０と対向する領域に穴２１ａ，２２，２３，２４ａがそれぞれ形成され、また、支持シート２０ｂの、ペーパー電池３１及び音声情報出力部４０と対向する領域に穴２１ｂ，２４ｂがそれぞれ形成されることにより、ペーパー電池３１、スイッチ３３、ＩＣチップ３４及び音声情報出力部４０が設けられている領域と他の領域とで厚さの差が小さくなり、それにより、紙片１にこの音声情報伝達部１００が取り付けられた場合であっても、紙片１の表面の平坦性が確保され、紙片１上に氏名情報１ａを容易に印刷することができるようになる。また、紙片１が、紙片２〜４とともに、音声情報伝達部１００の表面シート１０と反対側の表面シートの役割を担い、この紙片１〜４が折り畳まれた状態では、紙片１〜４からなる表面シートの内側に音声情報伝達部１００が存在することとなり、折り部５〜７の意匠性が優れたものとなる。
【００３０】
図４は、図２及び図３に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００３１】
図４（ａ）に示すように、支持シート２０ａのペーパー電池３１と対向する領域に形成された穴２１ａはペーパー電池３１よりも大きく、また、スイッチ３３と対向する領域に形成された穴２２はスイッチ３３よりも大きく、また、ＩＣチップ３４と対向する領域に形成された穴２３はＩＣチップ３４よりも大きく、また、音声情報出力部４０と対向する領域に形成された穴２４ａは音声情報出力部４０よりも小さくなっている。
【００３２】
また、図４（ｂ）に示すように、支持シート２０ｂのペーパー電池３１と対向する領域に形成された穴２１ｂはペーパー電池３１よりも大きく、また、音声情報出力部４０と対向する領域に形成された穴２４ｂは音声情報出力部４０よりも大きくなっている。
【００３３】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００３４】
また、支持シート２０ｂに貼付された表面シート１０は、支持シート２０ｂの穴２４ｂを介して音声情報出力部４０と対向する領域に、音声情報出力部４０から出力された音声を外部に出力するための微細な穴が羅列されてなる音声出力部１４が形成されている。このように微細な穴が羅列されてなる音声出力部１４が形成されているため、音声情報出力部４０が表裏を表面シート１０と紙片１とで覆われた状態であっても、音声情報出力部４０から出力される音量の低下を補うことができる。なお、音声出力部１４においては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。
【００３５】
以下に、上記のように構成された折り畳み型情報伝達体の使用方法について、折り畳み型情報伝達体を結婚披露宴の席札として使用する場合を例に挙げて説明する。
【００３６】
まず、結婚披露宴の主催者は、紙片１〜４が折り部５〜７を介して折り畳まれる前の状態で出席者の氏名情報１ａを紙片１に印刷する。この際、紙片１には、その裏面側に音声情報伝達部１００が貼付されているが、音声情報伝達部１００は上述したようにシート状であるため、通常のプリンター等によって氏名情報１ａを印刷することができる。
【００３７】
そして、出席者に対する音声メッセージを音声情報伝達部１００に記録する。音声情報伝達部１００への音声メッセージの記録は、音声情報記録装置（不図示）に接続端子３５を接続し、この接続端子３５を介してＩＣチップ３４のメモリ領域に音声メッセージを記録することになる。この音声メッセージは出席者毎に異なるものであってもよいし、同一のものであってもよい。
【００３８】
紙片１への氏名情報１ａの印刷と音声情報伝達部１００への音声メッセージの記録は、その順序はどちらが先であっても構わないが、出席者毎に音声メッセージを異なるものとする場合は、折り畳み型情報伝達体を出席者毎に識別する必要があるため、紙片１への氏名情報１ａの印刷を先に行うことが好ましい。
【００３９】
紙片１に氏名情報１ａが印刷され、また、音声情報伝達部１００に音声メッセージが記録された折り畳み型情報伝達体は、紙片１〜４が折り部５〜６を介してそれぞれ折り畳まれ、氏名情報１ａに従って、出席者が着席すべき座席の前に置かれることになる。
【００４０】
結婚披露宴への出席者は、自分の氏名が記載された折り畳み型情報伝達体が置かれた座席に行き、そこに着席することになる。そして、紙片１に設けられた再生ボタン１ｂを操作すると、再生ボタン１ｂに対向する領域に配置されたスイッチ３３が操作され、それにより、ＩＣチップ３４のメモリ領域に記録された音声メッセージが音声情報出力部４０から出力される。音声情報出力部４０から出力された音声メッセージは表面シート１０の音声出力部１４を介して出力されることになるが、音声出力部１４は、紙片１〜４の折り畳み状態の内側となる面、すなわち紙片１と紙片２との間に形成された空間側に配置されているため、音声情報出力部４０から出力された音声メッセージは紙片１と紙片２との間に形成された空間に向けて出力され、それにより、音声情報出力部４０から出力された音声メッセージが、同一材料からなる紙片１〜４によって形成された空間内で反響し、聴覚的に芳しい音として聞くことができる。
【００４１】
（第２の実施の形態）
図５は、本発明の折り畳み型情報伝達体の第２の実施の形態を示す図であり、（ａ）は外観斜視図、（ｂ）は折り畳み状態にて内側となる面を示す見開き図、（ｃ）は積層状態を示す図である。
【００４２】
本形態は図５に示すように、第１のシート部となる紙片２０１と第２のシート部となる紙片２０２とが第１の折り部２０５を介して連接し、紙片２０１，２０２の折り部２０５とは反対側には第２の折り部２０６，２０７を介して第３のシート部となる紙片２０３，２０４がそれぞれ連接し、紙片２０１〜２０４が折り部２０５〜２０７を介して折り畳まれて構成されている。紙片２０３，２０４は、互いに重なり合うように折り部２０６，２０７を介して折り畳まれる。そのため、紙片２０１，２０２が折り部２０５を介して折り畳まれると、紙片２０１と紙片２０２とは互いに重なり合わずにその間に空間が形成され、紙片２０１と紙片２０２とが折り部２０５を介して空間を有して折り畳まれることになる。互いに重なり合った紙片２０３，２０４は、机上等に載置される際の接地部となる。また、紙片２０１〜２０４は１枚の厚紙等からなり、折り部２０５〜２０７によって紙片２０１〜２０４が形成されている。
【００４３】
紙片２０１は、折り畳み状態の内側となる面、すなわち紙片２０２との間に形成された空間側に、シート状に構成され、音声情報を記録、出力可能な音声情報伝達部３００が貼付されている。この音声情報伝達部３００の紙片２０１への貼付方法は、例えば、音声情報伝達部３００の紙片２０１に対向する面に施された粘着加工を用いること等が考えられる。また、折り畳み状態における外側となる面には、氏名情報２０１ａが記載されているとともに、音声情報伝達部３００に記録された音声情報を出力する際に操作するための再生ボタン２０１ｂが設けられている。なお、氏名情報２０１ａは、例えば、この折り畳み型情報伝達体を結婚披露宴等の席札として使用する場合、結婚披露宴等への出席者の氏名であり、この折り畳み型情報伝達体が出席者の着席すべき座席の前に置かれることになる。その際、紙片２０３，２０４が接地部となるため、紙片２０１に記載された氏名情報２０１ａは容易に視認できる状態となる。また、再生ボタン２０１ｂにおいては、氏名情報２０１ａを印刷する場合は同時に印刷することや、紙片２０１に氏名情報２０１ａが印刷あるいは記入された後に、シールを貼付することによって設けることが考えられる。
【００４４】
また、本形態においては、音声情報伝達部３００の紙片２０１と対向しない面に、宛先情報２１２が記載されているとともに、音声情報伝達部３００に音声情報を記録する際に操作するための録音ボタン２１３が設けられている。なお、宛先情報２１２は、例えば、この折り畳み型情報伝達体を結婚披露宴等の席札として使用する場合、結婚披露宴等の主催者の住所及び氏名からなり、紙片２０１を音声情報伝達部３００とともに紙片２０２，２０３から切り離し、郵送する場合に用いられる。また、録音ボタン２１３においては、宛先情報２１２を印刷する場合は同時に印刷することや、音声情報伝達部３００に宛先情報２１２が印刷あるいは記入された後に、シールを貼付することによって設けることが考えられる。また、この音声情報伝達部３００には、断裁されることにより、録音ボタン２１３が操作された場合であっても音声情報を記録されなくする記録禁止設定部２３８が他の領域から突出して設けられている。
【００４５】
以下に、図５に示した音声情報伝達部３００の構成について説明する。
【００４６】
図６は、図５に示した音声情報伝達部３００の内部構造を示す図であり、（ａ）は紙片２０１側から見た図、（ｂ）は（ａ）に示した音声基板２３２の裏面の構成を示す図である。また、図７は、図５に示した音声情報伝達部３００の積層状態を示す図である。
【００４７】
本形態における音声情報伝達部３００は図６及び図７に示すように、音声情報の記録及び出力が可能なシート状の音声情報記録／再生部２３０が、紙基材等の柔軟性を有し、かつ薄型の基材からなる２枚の支持シート２２０ａ，２２０ｂに挟まれ、また、音声情報記録／再生部２３０が挟まれた２枚の支持シート２２０ａ，２２０ｂうち、一方の支持シート２２０ｂの音声情報記録／再生部２３０とは反対側の面に、その外形が支持シート２２０ｂと同一形状であって、紙基材等の柔軟性を有し、かつ薄型の基材からなる表面シート２１０が貼付されて構成されている。なお、表面シート２１０、支持シート２２０ａ，２２０ｂ及び音声情報記録／再生部２３０は、支持シート２２０ａ，２２０ｂの表裏に施された粘着加工によって互いに接着されている。この粘着加工は、支持シート２２０ａ，２２０ｂの表裏に両面テープを貼付することや、ホットメルト型接着剤を塗布すること等によって行うことが考えられる。紙片２０１についても、同様にして支持シート２２０ａに接着されている。
【００４８】
音声情報記録／再生部２３０は、ピエゾ素子２４１、振動板２４２及びフィルムシート２４３からシート状に構成されて音声情報を入出力するための音声情報入出力部２４０と、外部から入力された音声情報が記録されるメモリ領域を具備する薄型のＩＣチップ２３４やコンデンサ、抵抗等の回路素子が搭載されるとともに、外部からＩＣチップ２３４に音声情報を記録するための接続端子２３５を含む導電パターンが形成されて音声情報の記録及び出力が可能に構成された音声基板２３２と、音声基板２３２に形成された導電パターンの一部を導通させるための第１の操作手段となるスイッチ２３３ａ及び第２の操作手段となるスイッチ２３３ｂと、音声基板２３２に接続され、音声基板２３２に電源を供給するための柔軟性を有してなるペーパー電池２３１とから構成されており、これにより、音声情報記録／再生部２３０は、シート状に構成されている。音声基板２３２においては、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ２３４が接合されている。また、ＩＣチップ２３４は、音声情報入出力部２４０や接続端子２３５を介して入力された音声情報をメモリ領域に記録し、また、メモリ領域に記録された音声情報を音声情報入出力部２４０を介して出力する制御を行う。また、スイッチ２３３ａは、ＩＣチップ２３４のメモリ領域に記録された音声情報を音声情報入出力部２４０を介して出力する際に操作されるものであって、この音声情報伝達部３００が紙片２０１に取り付けられた場合に再生ボタン２０１ｂと対向する。すなわち、スイッチ２３３ａは、紙片２０１と紙片２０２との間の空間とは反対側に設けられ、また、紙片２０１に記載された再生ボタン２０１ｂは、スイッチ２３３ａを示す情報となる。また、スイッチ２３３ｂは、音声情報入出力部２４０を介して入力された音声情報をＩＣチップ２３４のメモリ領域に記録する際に操作されるものであって録音ボタン２１３と対向する。すなわち、スイッチ２３３ｂは、紙片２０１と紙片２０２との間の空間側に設けられ、また、音声情報伝達部３００の表面シート２１０に設けられた録音ボタン２１３は、スイッチ２３３ｂを示す情報となる。また、上述したように、断裁されることにより、録音ボタン２１３を介してスイッチ２３３ｂが操作された場合であっても、音声情報入出力部２４０を介して入力された音声情報を記録されなくする記録禁止設定部２３８が他の領域から突出して設けられている。
【００４９】
また、支持シート２２０ａにおいては、音声情報記録／再生部２３０と積層された場合に、ペーパー電池２３１、スイッチ２３３ａ、ＩＣチップ２３４及び音声情報入出力部２４０と対向する領域に穴２２１ａ，２２２ａ，２２３，２２４ａがそれぞれ形成されており、また、支持シート２２０ｂにおいては、音声情報記録／再生部２３０と積層された場合に、ペーパー電池２３１、スイッチ２３３ｂ及び音声情報入出力部２４０と対向する領域に穴２２１ｂ，２２２ｂ及び２２４ｂがそれぞれ形成されている。また、表面シート２１０及び支持シート２２０ａ，２２０ｂにおいても、記録禁止設定部２３８が設けられている。
【００５０】
このように、支持シート２２０ａの、ペーパー電池２３１、スイッチ２３３ａ、ＩＣチップ２３４及び音声情報入出力部２４０と対向する領域に穴２２１ａ，２２２ａ，２２３，２２４ａがそれぞれ形成され、また、支持シート２２０ｂの、ペーパー電池２３１、スイッチ２３３ｂ及び音声情報入出力部２４０と対向する領域に穴２２１ｂ，２２２ｂ，２２４ｂがそれぞれ形成されることにより、ペーパー電池２３１、スイッチ２３３ａ，２３３ｂ、ＩＣチップ２３４及び音声情報入出力部２４０が設けられている領域と他の領域とで厚さの差が小さくなり、それにより、表面シート２１０の平坦性が損なわれず、表面シート２１０の表面に宛先情報２１２や録音ボタン２１３を印刷することができ、また、紙片２０１にこの音声情報伝達部３００が貼付された場合であっても、紙片２０１の表面の平坦性が確保され、紙片２０１上に氏名情報２０１ａを容易に印刷することができるようになる。また、紙片２０１が、紙片２０２〜２０４とともに、音声情報伝達部３００の表面シート２１０と反対側の表面シートの役割を担い、この紙片２０１〜２０４が折り畳まれた状態では、紙片２０１〜２０４からなる表面シートの内側に音声情報伝達部３００が存在することとなり、折り部２０５〜２０７の意匠性が優れたものとなる。
【００５１】
図８は、図６及び図７に示した支持シート２２０ａ，２２０ｂと音声情報記録／再生部２３０とを積層した状態を示す図であり、（ａ）は支持シート２２０ａと音声情報記録／再生部２３０とを積層した状態を支持シート２２０ａ側から見た図、（ｂ）は支持シート２２０ｂと音声情報記録／再生部２３０とを積層した状態を支持シート２２０ｂ側から見た図である。
【００５２】
図８（ａ）に示すように、支持シート２２０ａのペーパー電池２３１と対向する領域に形成された穴２２１ａはペーパー電池２３１よりも大きく、また、スイッチ２３３ａと対向する領域に形成された穴２２２ａはスイッチ２３３ａよりも大きく、また、ＩＣチップ２３４と対向する領域に形成された穴２２３はＩＣチップ２３４よりも大きく、また、音声情報入出力部２４０と対向する領域に形成された穴２２４ａは音声情報入出力部２４０よりも小さくなっている。
【００５３】
また、図８（ｂ）に示すように、支持シート２２０ｂのペーパー電池２３１と対向する領域に形成された穴２２１ｂはペーパー電池２３１よりも大きく、また、スイッチ２３３ｂと対向する領域に形成された穴２２２ｂはスイッチ２３３ｂよりも大きく、また、音声情報入出力部２４０と対向する領域に形成された穴２２４ｂは音声情報入出力部２４０よりも大きくなっている。
【００５４】
これにより、音声情報記録／再生部２３０は、２枚の支持シート２２０ａ，２２０ｂによって一部のみが表裏から挟み込まれるように積層され、支持シート２２０ａ，２２０ｂの表裏に施された粘着加工によって固定されている。
【００５５】
また、支持シート２２０ｂに貼付された表面シート２１０は、支持シート２２０ｂの穴２２４ｂを介して音声情報入出力部２４０と対向する領域に、音声情報入出力部２４０を介して音声情報を入力したり、音声情報入出力部２４０から出力された音声を外部に出力したりするための微細な穴が羅列されてなる音声入出力部２１４が形成されている。このように微細な穴が羅列されてなる音声入出力部２１４が形成されているため、音声情報入出力部２４０が表裏を表面シート２１０と紙片２０１とで覆われた状態であっても、音声情報入出力部２４０から出力される音量の低下を補うことができる。なお、音声入出力部２１４においては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。
【００５６】
以下に、上記のように構成された折り畳み型情報伝達体の使用方法について、折り畳み型情報伝達体を結婚披露宴の席札として使用する場合を例に挙げて説明する。
【００５７】
まず、結婚披露宴の主催者は、紙片２０１〜２０４が折り部２０５〜２０７を介して折り畳まれる前の状態で、主催者の氏名や住所からなる宛先情報２１２を音声情報伝達部３００の表面シート２１０に印刷するとともに、出席者の氏名情報２０１ａを紙片２０１に印刷する。この際、紙片２０１には、その裏面側に音声情報伝達部３００が貼付されているが、音声情報伝達部３００は上述したようにシート状であるため、通常のプリンター等によって氏名情報２０１ａを印刷することができる。また、表面シート２１０の表面についても、平坦性が損なわれていないため、宛先情報２１２を通常のプリンター等によって印刷することができる。
【００５８】
そして、出席者に対する音声メッセージを音声情報伝達部３００に記録する。音声情報伝達部３００への音声メッセージの記録は、音声情報記録装置（不図示）に接続端子２３５を接続し、この接続端子２３５を介してＩＣチップ２３４のメモリ領域に音声メッセージを記録することや、音声情報入出力部２４０を介して音声メッセージを入力してＩＣチップ２３４のメモリ領域に記録することが可能となっている。音声情報入出力部２４０を介して入力された音声メッセージをＩＣチップ２３４のメモリ領域に記録する場合は、録音ボタン２１３を介してスイッチ２３３ｂを操作しながら音声情報入出力部２４０を介して音声メッセージを入力するとその音声メッセージがＩＣチップ２３４のメモリ領域に記録されることになる。この音声メッセージは出席者毎に異なるものであってもよいし、同一のものであってもよい。
【００５９】
紙片２０１への氏名情報２０１ａの印刷と音声情報伝達部３００への音声メッセージの記録は、その順序はどちらが先であっても構わないが、出席者毎に音声メッセージを異なるものとする場合は、折り畳み型情報伝達体を出席者毎に識別する必要があるため、紙片２０１への氏名情報２０１ａの印刷を先に行うことが好ましい。
【００６０】
紙片２０１に氏名情報２０１ａが印刷され、音声情報伝達部３００の表面シート２１０に宛先情報２１２が印刷され、また、音声情報伝達部３００に音声メッセージが記録された折り畳み型情報伝達体は、紙片２０１〜２０４が折り部２０５〜２０６を介してそれぞれ折り畳まれ、氏名情報２０１ａに従って、出席者が着席すべき座席の前に置かれることになる。
【００６１】
結婚披露宴への出席者は、自分の氏名が記載された折り畳み型情報伝達体が置かれた座席に行き、そこに着席することになる。そして、紙片２０１に設けられた再生ボタン２０１ｂを操作すると、再生ボタン２０１ｂに対向する領域に配置されたスイッチ２３３ａが操作され、それにより、ＩＣチップ２３４のメモリ領域に記録された音声メッセージが音声情報入出力部２４０から出力される。音声情報入出力部２４０から出力された音声メッセージは表面シート２１０の音声入出力部２１４を介して出力されることになるが、音声入出力部２１４は、紙片２０１〜２０４の折り畳み状態の内側となる面、すなわち紙片２０１と紙片２０２との間に形成された空間側に配置されているため、音声情報入出力部２４０から出力された音声メッセージは紙片２０１と紙片２０２との間に形成された空間に向けて出力され、それにより、音声情報入出力部２４０から出力された音声メッセージが、同一材料からなる紙片２０１〜２０４によって形成された空間内で反響し、聴覚的に芳しい音として聞くことができる。
【００６２】
本形態においては、その後、結婚披露宴への出席者から主催者へ音声メッセージを伝達することが可能である。
【００６３】
結婚披露宴への出席者から主催者へ音声メッセージを伝達する場合は、音声情報伝達部３００の表面シート２１０に設けられた録音ボタン２１３を介してスイッチ２３３ｂを操作しながら音声情報入出力部２４０を介して音声メッセージを入力する。すると、音声情報入出力部２４０を介して入力された音声メッセージがＩＣチップ２３４のメモリ領域に記録される。
【００６４】
図９は、図５〜図８に示した音声情報伝達部３００への音声情報の記録方法を説明するための図であり、（ａ）は記録禁止設定部２３８が切り離されていない状態を示す図、（ｂ）は（ａ）に示したスイッチ２３３ｂが押下されていない状態の断面図、（ｃ）は（ａ）に示したスイッチ２３３ｂが押下された状態の断面図、（ｄ）は記録禁止設定部２３８が切り離された状態を示す図である。なお、図５〜図８に示した音声情報伝達部３００においては、ＩＣチップ２３４とスイッチ２３３ｂとが音声基板２３２の互いに異なる面に設けられているが、説明を簡単にするために同一面に配置した状態で説明する。実際には、ＩＣチップ２３４に接続された導電パターンとスイッチ２３３ｂに接続された導電パターンとが音声基板２３２に形成されたスルーホールを介して接続されている。
【００６５】
記録禁止設定部２３８が切り離されていない状態においては、図９（ａ）に示すように、ペーパー電池２３１の正極に接続された導電パターン２３６ａがスイッチ２３３ｂの下部まで延びるように形成された状態となっており、また、ＩＣチップ２３４のポート端子のうち、音声情報入出力部２４０を介して入力された音声情報をＩＣチップ２３４のメモリ領域に記録するための指示信号が入力されるポート端子に接続された導電パターン２３６ｂが導電パターン２３６ａと接触しないように、かつスイッチ２３３ｂの下部まで延びるように記録禁止設定部２３８を介して形成された状態となっている。なお、ＩＣチップ２３４においては、導電パターン２３６ｂに接続されたポート端子が電源電位になった場合、導電パターン２３６ｂに接続されたポート端子が電源電位になっている間だけ、音声情報入出力部２４０を介して入力された音声情報をＩＣチップ２３４のメモリ領域に記録する。
【００６６】
この状態において、録音ボタン２１３を介してスイッチ２３３ｂが押下されていない場合は、図９（ｂ）に示すように、導電パターン２３６ａと導電パターン２３６ｂとがスイッチ２３３ｂの下部にて導通していない状態となっている。そのため、ＩＣチップ２３４のポート端子のうち、導電パターン２３６ｂと接続されたポート端子、すなわち、音声情報入出力部２４０を介して入力された音声情報をＩＣチップ２３４のメモリ領域に記録するための指示信号が入力されるポート端子はオープン状態となっており、この状態にて音声情報入出力部２４０を介して音声情報が入力されてもその音声情報はＩＣチップ２３４のメモリ領域に記録されない。
【００６７】
一方、録音ボタン２１３を介してスイッチ２３３ｂが押下されると、図９（ｃ）に示すように、導電パターン２３６ａと導電パターン２３６ｂとが、スイッチ２３３ｂの裏面に塗布された導電剤２３７を介して電気的に接続された状態となる。すると、配線パターン２３６ａがペーパー電池２３１の正極に接続されているため、配線パターン２３６ｂと接続されたポート端子、すなわち、音声情報入出力部２４０を介して入力された音声情報をＩＣチップ２３４のメモリ領域に記録するための指示信号が入力されるポート端子が電源電位となり、その状態において、音声情報入出力部２４０を介して音声情報を入力すると、入力された音声情報がＩＣチップ２３４のメモリ領域に記録される。このように、録音ボタン２１３を介してスイッチ２３３ｂを押下しながら音声情報を音声情報入出力部２４０を介して入力することにより、音声情報入出力部２４０を介して入力された音声情報がＩＣチップ２３４に記録されることになる。
【００６８】
このようにしてＩＣチップ２３４に音声情報を記録した後、記録禁止設定部２３８を切り離すと、図９（ｄ）に示すように、音声情報入出力部２４０を介して入力された音声情報をＩＣチップ２３４のメモリ領域に記録するための指示信号が入力されるポート端子から延びて形成された導電パターン２３６ｂが途中で断線し、スイッチ２３３ｂの下部まで届かない状態となる。そのため、この状態で録音ボタン２１３を介してスイッチ２３３ｂが押下され、導電パターン２３６ａと導電パターン２３６ｂとが、スイッチ２３３ｂの裏面に塗布された導電剤２３７を介して電気的に接続された状態となっても、音声情報入出力部２４０を介して入力された音声情報をＩＣチップ２３４のメモリ領域に記録するための指示信号が入力されるポート端子は電源電位とはならず、ＩＣチップ２３４に音声情報は記録されない。
【００６９】
これにより、ＩＣチップ２３４に対する音声情報の記録が禁止状態となり、ＩＣチップ２３４に音声情報が記録された後に録音ボタン２１３の誤操作等によってその音声情報が消去されてしまうことを回避することができる。
【００７０】
その後、紙片２０１を音声情報伝達部３００とともに紙片２０２，２０３から切り離して発送すると、音声情報伝達部３００の表面シート２１０に印刷された宛先情報２１２に従って、結婚披露宴の主催者にこの音声情報伝達部３００が郵送されることになる。この際、折り部２０５，２０６をミシン目で形成し、紙片２０１を紙片２０２，２０３から切り離し可能に構成しておけば、そのミシン目を利用して紙片２０１を紙片２０２，２０３から切り離すことができる。
【００７１】
郵送されてきた音声情報伝達部３００を受け取った主催者が紙片２０１に設けられた再生ボタン２０１ｂを介してスイッチ２３３ａを操作すると、結婚披露宴への出席者が音声情報入出力部２４０を介して入力した音声メッセージが音声情報入出力部２４０から出力されることになる。
【００７２】
なお、上述した２つの実施の形態においては、折り部５，２０５を介して連接した紙片１，２，２０１，２０２のそれぞれについて、折り部５，２０５とは反対側に紙片３，４，２０３，２０４が折り部６，７，２０６，２０７を介して連接しているが、折り部５，２０５を介して連接した紙片１，２，２０１，２０２のいずれか一方に紙片が連接し、その紙片が接地部となる構成であればよい。
【００７３】
また、支持シート２０ａ，２０ｂ、２２０ａ，２２０ｂ、音声情報記録／再生部３０，２３０及び表面シート１０，２１０が積層された音声情報伝達部１００，３００が紙片１，２０１に貼付され、紙片１〜４，２０１〜２０４が音声情報伝達部１００，３００の一方の表面シートの役割を担った構成となっているが、支持シート２０ａ，２２０ａ側にも表面シートが積層された構成の音声情報伝達部が紙片１，２０１に貼付された構成としてもよい。
【００７４】
また、上述した２つの実施の形態においては、互いに重なり合った紙片３，４，２０３，２０４が接地部となって机上等に載置されるが、折り畳まれた紙片１〜４，２０１〜２０４の連接方向の側辺を接地部として机上等に載置してもよい。ただし、互いに重なり合った紙片３，４，２０３，２０４が接地部となって机上等に載置される方が、紙片１，２０１と紙片２，２０２との間の空間に向けて出力された音声情報が、反響しながらも、その空間から２箇所の開口部を介して外部に抜けていくことになり、空間内で反響した音声情報を外部に伝わりやすくすることができる。
【図面の簡単な説明】
【００７５】
【図１】本発明の折り畳み型情報伝達体の第１の実施の形態を示す図であり、（ａ）は外観斜視図、（ｂ）は折り畳み状態にて内側となる面を示す見開き図、（ｃ）は積層状態を示す図である。
【図２】図１に示した音声情報伝達部の内部構造を示す図である。
【図３】図１に示した音声情報伝達部の積層状態を示す図である。
【図４】図２及び図３に示した支持シートと音声情報記録／再生部とを積層した状態を示す図である。
【図５】本発明の折り畳み型情報伝達体の第２の実施の形態を示す図であり、（ａ）は外観斜視図、（ｂ）は折り畳み状態にて内側となる面を示す見開き図、（ｃ）は積層状態を示す図である。
【図６】図５に示した音声情報伝達部の内部構造を示す図であり、（ａ）は紙片側から見た図、（ｂ）は（ａ）に示した音声基板の裏面の構成を示す図である。
【図７】図５に示した音声情報伝達部の積層状態を示す図である。
【図８】図６及び図７に示した支持シートと音声情報記録／再生部とを積層した状態を示す図である。
【図９】図５〜図８に示した音声情報伝達部への音声情報の記録方法を説明するための図であり、（ａ）は記録禁止設定部が切り離されていない状態を示す図、（ｂ）は（ａ）に示したスイッチが押下されていない状態の断面図、（ｃ）は（ａ）に示したスイッチが押下された状態の断面図、（ｄ）は記録禁止設定部が切り離された状態を示す図である。
【符号の説明】
【００７６】
１〜４，２０１〜２０４    紙片
５〜７，２０５〜２０７    折り部
１ａ，２０１ａ    氏名情報
１ｂ，２０１ｂ    再生ボタン
１０，２１０    表面シート
１４    音声出力部
２０ａ，２０ｂ，２２０ａ，２２０ｂ    支持シート
２１ａ，２１ｂ，２２，２３，２４ａ，２４ｂ，２２１ａ，２２１ｂ，２２２ａ，２２２ｂ，２２３，２２４ａ，２２４ｂ    穴
３０，２３０    音声情報記録／再生部
３１，２３１    ペーパー電池
３２，２３２    音声基板
３３，２３３ａ，２３３ｂ    スイッチ
３４，２３４    ＩＣチップ
３５，２３５    接続端子
４０    音声情報出力部
４１，２４１    ピエゾ素子
４２，２４２    振動板
４３，２４３    フィルムシート
１００    音声情報伝達部
２１２    宛先情報
２１３    録音ボタン
２１４    音声入出力部
２３６ａ，２３６ｂ    導電パターン
２３７    導電剤
２３８    記録禁止設定部
２４０    音声情報入出力部
【図１】
0004698340.tif 000002
【図２】
0004698340.tif 000003
【図３】
0004698340.tif 000004
【図４】
0004698340.tif 000005
【図５】
0004698340.tif 000006
【図６】
0004698340.tif 000007
【図７】
0004698340.tif 000008
【図８】
0004698340.tif 000009
【図９】
0004698340.tif 000010